(57)【要約】【課題】より使い勝手のよい服薬管理装置等を開発することを課題とする。【解決手段】  複数の薬剤収容部１１が平面的に分布されていて、前記薬剤収容部１１に対応する服用者及び服用タイミングの薬剤が当該薬剤収容部１１に保持される服薬管理装置１である。先取りモードによる動作が可能であり、先取りモードの動作中に、服用時期に至っていない薬剤を薬剤収容部から取り出した場合には、当該薬剤の服用時期が到来しても時期到来報知手段の一部又は全部が機能しない。【選択図】図１
2019187603.tif 000002
【特許請求の範囲】
【請求項１】
複数の薬剤収容部が平面的に分布されていて、前記薬剤収容部に対応する服用タイミングの薬剤を当該薬剤収容部に保持し、
光及び／又は音によって服用時期の到来を知らせる時期到来報知手段を備えた服薬管理装置において、
先取りモードによる動作が可能であり、
先取りモードの動作中に、服用時期に至っていない薬剤を薬剤収容部から取り出した場合には、当該薬剤の服用時期が到来しても時期到来報知手段の一部又は全部が機能しないことを特徴とする服薬管理装置。
【請求項２】
先取りモードにおいては、未だ服用時期に至らず、次に服用すべき薬剤が保持された薬剤収容部を示す先取り指示が行われることを特徴とする請求項１に記載の服薬管理装置。
【請求項３】
先取りモードが機能中に、薬剤収容部から薬剤を取り出した場合には、さらにその次に服用すべき薬剤が保持された薬剤収容部を示す先取り指示が行われることを特徴とする請求項２に記載の服薬管理装置。
【請求項４】
先取りモードにおいては、次に服用すべき時期が示されることを特徴とする請求項１乃至３のいずれかに記載の服薬管理装置。
【請求項５】
先取りモードが機能中に、薬剤収容部から薬剤を取り出した場合には、さらにその次に服用すべき時期が示されることを特徴とする請求項４に記載の服薬管理装置。
【請求項６】
薬剤収容部の服用時期を示す、朝、昼、夜に相当する文字表示があり、
それぞれの服用時期を設定する服用時期設定手段を有し、当該服用時期設定手段によって服用時期に対応する服用時刻を少なくとも、時・分まで設定することが可能であることを特徴とする請求項１乃至５のいずれかに記載の服薬管理装置。
【請求項７】
各薬剤収容部に対応する位置に発光部材があり、
薬剤を保持させる必要がある薬剤収容部に対応する発光部材を発光させる薬剤収容部特定機能を備えていることを特徴とする請求項１乃至６のいずれかに記載の服薬管理装置。    
【請求項８】
各薬剤収容部に対応する位置に発光部材があり、
処方箋情報に対応した薬剤収容部に対応する発光部材を発光させる薬剤収容部特定機能を備えていることを特徴とする請求項１乃至７のいずれかに記載の服薬管理装置。
【請求項９】
本体装置と、薬剤セット具を有し、
前記本体装置に発光部材があり、
薬剤セット具に前記薬剤収容部が設けられ、薬剤セット具は本体装置に対して着脱可能であることを特徴とする請求項１乃至８のいずれかに記載の服薬管理装置。
【請求項１０】
請求項１乃至９のいずれかに記載の服薬管理装置と、携帯型入力装置によって構成される服薬管理システムにおいて、
携帯型入力装置は、有線又は無線通信によって前記服薬管理装置の動作条件を設定するものであり、
服薬管理装置と携帯型入力装置の少なくとも一方が位置検知手段と、通信手段を備え、服薬管理装置及び／又は携帯型入力装置の現在位置を無線通信によって他の装置に送信することが可能であることを特徴とする服薬管理システム。
【請求項１１】
複数の薬剤収容部が平面的に分布されていて、前記薬剤収容部に対応する服用タイミングの薬剤を当該薬剤収容部に保持し、光及び／又は音による報知手段を備えた服薬管理装置の制御装置を制御するコンピュータプログラムにおいて、
光及び／又は音によって服用時期の到来を知らせる時期到来報知動作と、
先取りモードによって動作させることが可能であり、
先取りモードの動作中に、服用時期に至っていない薬剤を薬剤収容部から取り出した場合には、当該薬剤の服用時期が到来しても時期到来報知手段の一部又は全部が機能しないことを特徴とするコンピュータプログラム。
【発明の詳細な説明】
【技術分野】
【０００１】
本発明は、薬剤が一服用分ずつ配置される服薬管理装置に関するものである。また本発明は、服薬管理装置を使用した服薬管理システム、及び服薬管理装置を動作させるコンピュータプログラムに関するものである。
【背景技術】
【０００２】
高齢の患者や、症状が急性期を脱した患者は、在宅で療養する場合が多い。また高血圧症や高脂血圧の様な緊急性を要しない患者についても、在宅で療養する場合が多い。在宅で療養する患者は、自己管理に基づいて服薬を行う必要がある。
例えば医師の処方が、朝にＡ薬とＢ薬を服用し、昼にＢ薬を服用し、夕食後に朝の倍量のＡ薬とＣ薬を服用するものであるならば、患者自らが決められた時間に決められた種類の薬剤を決められた量だけ薬箱等から取り出し、服用する必要がある。
しかしながら、現実問題として、飲むべき薬の種類や量を間違ったり、飲み忘れることがある。また逆に重複して服用してしまうこともある。特に複数の疾患を持つ高齢者の場合は、多剤併用となり、それが顕著であった。
また高齢者や気力が低下した患者にとっては、薬の仕分けや、決められた種類の薬剤を決められた量だけ薬箱等から取り出すことが困難であり、正確に薬剤を服用できていない場合もある。
【０００３】
また高齢者の介護施設等では、介護要員が服薬の管理を補助することとなるが、現状の介護施設では、一人の介護要員が複数の高齢者を介護する場合が多く、介護要員の負担が大きい。即ち介護施設では、介護要員が、決められた時間に決められた種類の薬剤を決められた量だけ薬箱等から取り出し、患者に薬剤を手渡すこととなるが、この作業は面倒であり、改善が望まれていた。
【０００４】
この問題に関連する方策が特許文献１に開示されている。特許文献１に開示された服薬管理装置は、薬剤を収容するポケットが４列に配設され、各ポケットの左右にＬＥＤライトが設けられている。
特許文献１に開示された服薬管理装置では、横軸方向に「朝」「昼」「夜」「寝る前」の文字表示がある。
特許文献１に開示された服薬管理装置では、服薬の時刻が到来すると、服用すべき薬剤が収容されたポケットの左右のＬＥＤライトが点灯し、患者に注意を喚起する。
ポケットから薬剤を取り出すと、ＬＥＤライトが消灯するとともに、サーバーにデータが送信され、データベースにその情報が記録される。
【先行技術文献】
【特許文献】
【０００５】
【特許文献１】特開２０１７−１２４６９号公報
【発明の概要】
【発明が解決しようとする課題】
【０００６】
特許文献１に開示された服薬管理装置によると、患者に服薬時期を知らせることができ、飲み忘れ等を防ぐことができる。
しかしながら、生活様式や習慣は患者によってまちまちであり、従来技術の服薬管理装置では対応できない場合や、使い勝手が悪い場合がある。
【０００７】
本発明は、患者の生活様式や習慣は合わせることが可能であり、使い勝手のよい服薬管理装置等を開発することを課題とするものである。
【課題を解決するための手段】
【０００８】
実際の患者の行動として、外出して人とあったり、外で友人等と食事をする場合がある。
従来技術の服薬管理装置は、患者が自宅や施設に居ることが前提であり、患者が外出する場合には対応することができない。
第一の態様は、外出等を行う場合に対処するものである。
【０００９】
第一の態様は、複数の薬剤収容部が平面的に分布されていて、前記薬剤収容部に対応する服用タイミングの薬剤を当該薬剤収容部に保持し、光及び／又は音によって服用時期の到来を知らせる時期到来報知手段を備えた服薬管理装置において、先取りモードによる動作が可能であり、先取りモードの動作中に、服用時期に至っていない薬剤を薬剤収容部から取り出した場合には、当該薬剤の服用時期が到来しても時期到来報知手段の一部又は全部が機能しないことを特徴とする服薬管理装置である。
【００１０】
例えば、外出して食事を行う場合、食後等に薬を飲む必要がある様な場合がある。
この様な場合には、外出前に薬剤収容部から食後に服用する薬剤を取り出し、鞄等に入れて持ち出すこととなる。即ち服用時期が到達する前に薬剤収容部から薬剤を抜き出す。従来技術の服薬管理装置によると、薬剤が既に取り出されているにも係わらず、該当する箇所のライトが点灯してしまう。そのため留守番の者に不快感を与えてしまう場合がある。
これに対して本態様の服薬管理装置では、先取りモードの動作中に服用時期に至っていない薬剤を薬剤収容部から取り出した場合には、薬剤の服用時期が到来しても、時期到来報知手段の一部又は全部が機能しない。そのため留守番の者に不快感を与えない。
【００１１】
先取りモードにおいては、未だ服用時期に至らず、次に服用すべき薬剤が保持された薬剤収容部を示す先取り指示が行われることが望ましい。
【００１２】
先取り指示の例として、光や音によるものがあげられる。
【００１３】
先取りモードが機能中に、薬剤収容部から薬剤を取り出した場合には、さらにその次に服用すべき薬剤が保持された薬剤収容部を示す先取り指示が行われることが望ましい。
【００１４】
先取りモードにおいては、次に服用すべき時期が示されることが望ましい。
【００１５】
次に服用すべき時期を知ることにより、当該薬剤を持っていくべきか、自宅等に残すべきかを判断することができる。
時期を示す手段は、例えば音声によるものや、画面表示によるものが考えられる。
次に服用すべき時期の表示や通知は、自動的に行われてもよい。また使用者が何らかの操作をおこなうことによって服用すべき時期の表示や通知がなされてもよい。
【００１６】
先取りモードが機能中に、薬剤収容部から薬剤を取り出した場合には、さらにその次に服用すべき時期が示されることが望ましい。
【００１７】
従来技術の服薬管理装置では「朝」「昼」「夜」「寝る前」の文字表示がある。これは、一般に、「朝食後」、「昼食後」、「夕食後」、「就寝前」を意味している。
しかしながら、起床時刻や就寝時刻は、人によってまちまちであり、食事をとる時間も、生活習慣によって大きく相違する。そのため患者個人にとっての「朝」「昼」「夜」は、人によって大きく異なる場合がある。そのため「朝」に服用させるために、ＡＭ８時にライトが点灯して、薬剤収容部から薬剤を取り出しても、実際に服用するのは、それから数時間後である様な場合も珍しくはなく、結局服用を忘れてしまう場合もある。
【００１８】
第二の態様は、この問題を解消するものであり、薬剤収容部の服用時期を示す、朝、昼、夜に相当する文字表示があり、それぞれの服用時期を設定する服用時期設定手段を有し、当該服用時期設定手段によって服用時期に対応する服用時刻を少なくとも、時・分まで設定することが可能であることを特徴の一つとする服薬管理装置である。
【００１９】
本態様によると、患者個人の生活習慣に合わせて時期到来報知手段による報知時刻を設定することができる。
【００２０】
服薬管理装置では、薬剤師等が薬剤収容部に対応する薬剤を収容していく。この作業は、慎重を要し、何度も確認作業を行うこととなり、薬剤師等の負担が大きい。
【００２１】
第三の態様は、この負担を軽減するものであり、各薬剤収容部に対応する位置に発光部材があり、薬剤を保持させる必要がある薬剤収容部に対応する発光部材を発光させる薬剤収容部特定機能を備えていることを特徴の一つとする服薬管理装置である。
【００２２】
本態様によると、発光部材が発光している薬剤収容部に薬剤が有るか無いかを確認し、仮に発光部材が発光している薬剤収容部に薬剤が無いならば、入れ間違いである。また発光部材が発光していない薬剤収容部に薬剤があっても、入れ間違いである。本態様は、薬剤の入れ間違いの解消に寄与する。
【００２３】
この変形例に相当する態様は、各薬剤収容部に対応する位置に発光部材があり、処方箋情報に対応した薬剤収容部に対応する発光部材を発光させる薬剤収容部特定機能を備えていることを特徴の一つとする服薬管理装置である。
【００２４】
上記した各態様において、本体装置と、薬剤セット具を有し、前記本体装置に発光部材があり、薬剤セット具に前記薬剤収容部が設けられ、薬剤セット具は本体装置に対して着脱可能であることが望ましい。
【００２５】
服薬管理装置は、患者自身が購入する場合もあるが、薬局等が患者や施設に貸し出す場合もある。
また薬局等は、多数の服薬管理装置を多数の患者等に貸し出す場合もある。そのため、貸し出した服薬管理装置の所在が判らなくなってしまう懸念がある。
【００２６】
第四の態様は、この問題を軽減するものであり、上記した服薬管理装置と、携帯型入力装置によって構成される服薬管理システムにおいて、携帯型入力装置は、有線又は無線通信によって前記服薬管理装置の動作条件を設定するものであり、服薬管理装置と携帯型入力装置の少なくとも一方が位置検知手段と、通信手段を備え、服薬管理装置及び／又は携帯型入力装置の現在位置を無線通信によって他の装置に送信することが可能であることを特徴とする服薬管理システムである。
【００２７】
本態様によると、所在不明となった服薬管理装置の位置を突き止める手掛かりができる。
【００２８】
コンピュータプログラムに関する態様は、複数の薬剤収容部が平面的に分布されていて、前記薬剤収容部に対応する服用タイミングの薬剤を当該薬剤収容部に保持し、光及び／又は音による報知手段を備えた服薬管理装置の制御装置を制御するコンピュータプログラムにおいて、光及び／又は音によって服用時期の到来を知らせる時期到来報知動作と、先取りモードによって動作させることが可能であり、先取りモードの動作中に、服用時期に至っていない薬剤を薬剤収容部から取り出した場合には、当該薬剤の服用時期が到来しても時期到来報知手段の一部又は全部が機能しないことを特徴とするコンピュータプログラムである。
【発明の効果】
【００２９】
本発明の服薬管理装置等は、患者の生活様式や習慣は合わせることが可能であり、使い勝手がよい。
【図面の簡単な説明】
【００３０】
【図１】本発明の実施形態の服薬管理システムを構成する服薬管理装置と患者用通信端末及び業者用通信端末の正面図である。
【図２】図１の服薬管理装置の斜視図であり、服薬管理装置を本体装置と薬剤セット具に分けた状態を示す。
【図３】図１の服薬管理装置の一部の断面図である。
【図４】服薬管理装置の薬剤収容部に薬剤をセットした状態を示す正面図である。
【図５】薬剤収容部特定機能を駆動し、薬剤をセットすべき薬剤収容部の一方の発光部材を発光させた状態を示す服薬管理装置の正面図である。
【図６】服用時刻が到来した状態を示す服薬管理装置の正面図である。
【図７】先取りモードを起動した場合における服薬管理装置の正面図である。
【図８】先取りモードを起動し、指示された薬剤収容部から薬剤を取り出した状態を示す服薬管理装置の正面図である。
【図９】服薬管理装置と通信端末の表示画面の一例を示す正面図である。
【図１０】図１の服薬管理装置の正面図であり、薬剤収容部のレイアウトの変更例を示す。
【図１１】通信端末の表示画面の他の一例を示す正面図であり、（ａ）は服薬状況を表示する画面であり、（ｂ）は服薬履歴を表示する画面である。
【図１２】通信端末の表示画面の他の一例を示す正面図であり、（ａ）は基本設定画面であり、（ｂ）は属性設定画面であり、（ｃ）は服用時期設定画面であり、（ｄ）曜日設定画面であり、（ｅ）は変更予告画面である。
【図１３】通信端末の表示画面の他の一例を示す正面図であり、（ａ）はレイアウト設定画面であり、（ｂ）レイアウト変形後の画面である。
【発明を実施するための形態】
【００３１】
以下さらに本発明の実施形態について説明する。
本実施形態の服薬管理装置１は、図２の様に本体装置２と薬剤セット具３によって構成されている。また服薬管理装置１と共に本実施形態の服薬管理システム１００を構成する部材として図１の様に複数の通信端末５、６がある。
【００３２】
通信端末５は、主として患者が使用する患者用通信端末５である。通信端末６は、薬剤師等が使用する業者用通信端末６である。業者用通信端末６は、携帯型入力装置として機能する。
通信端末５、６は、公知のノートパソコンや通信タブレット、スマートフォン等であり、キーボードやタッチパネル等の入力手段と、表示画面を有している。また通信端末５、６は、インターネットに接続する通信機能を有している。通信端末５、６は他の機器と共に無線ＬＡＮを構築することができるものであり、コードレスで持ち運びできるものである。
さらに通信端末５、６は、服薬管理装置１に内蔵された通信手段７２と通信する機能も備えている。服薬管理装置１との通信方法は、有線通信であっても無線通信であってもよい。
【００３３】
通信端末５、６は、携帯端末としても使用されるものであり、インターネット等を通じて医師や看護師、薬剤師等の医療機関関係者と連絡を取ることができるものである。通信端末５、６は、外部のクラウドコンピューティングサービスと通信することもできる。医師や薬剤師、患者の親族等は、外部のクラウドコンピューティングサービスを経由して情報を得ることもできる。
患者用通信端末５は、患者が施設に入っていたり、年配である様な場合には、子や孫等の親類縁者と連絡を取り合う用途に使用することもできる。
【００３４】
これに対して、業者用通信端末６は、服薬管理装置１の動作条件を設定する設定手段としても機能する。また外部のコンピュータや外部のクラウドコンピューティングサービスのサーバーと通信し、服薬管理装置１を動作させるコンピュータプログラムを入手することもできる。
また業者用通信端末６は、少なくとも時計機能とＧＰＳ機能等を備え、現在時刻における現在位置を認識して記憶する機能を備えている。
【００３５】
薬剤セット具３は、図２、図３の様に平面状の基材１０に薬剤収容部１１が多数、設けられたものである。
基材１０の平面形状は略長方形であり、各辺部の裏面側にホック片（係合片）２２が設けられている。
薬剤収容部１１は、図３の様に使用者側に面する外側壁部１２と、当該外側壁部１２に対向する内側壁部１３と、側面壁部と、底側壁部１６を有するものであり、あたかもマチ付きポケットの様な内袋部１７を有している。
【００３６】
本実施形態では、薬剤収容部１１は、透明のポケットシート１８によって構成されている。具体的には、薬剤収容部１１は、透明のポケットシート１８の左右辺と下辺が基材１０に接着又は溶着され、上辺から内部に物を入れることができる構造である。
本実施形態では、薬剤収容部１１は、上部の辺が開口２７となったポケットである。本実施形態では、薬剤収容部１１の開口２７は薬剤の出し入れ口となるものである。
【００３７】
薬剤収容部１１の内部に注目すると、内袋部１７内であって内側壁部１３に、図３の様に開口２０が設けられている。開口２０は、内袋部１７と薬剤セット具３の裏面側を貫通するものであり、薬剤セット具３の裏面側から内袋部１７内を伺い見ることができる。
【００３８】
本実施形態では、内袋部１７内に光吸収部材２１が内蔵されている。
薬剤収容部１１は、図１、図２の様に平面的且つ行列状に分布されており、それぞれ服用者の服用のタイミングに基づいて定められる特定の位置にあり、薬剤収容部１１に対応する服用者及び服用タイミングの薬剤包装２５（図４参照）を保持するものである。
薬剤包装２５には、同一時期に服用する一種類又は複数種類に薬剤が内包されている。
一つの薬剤収容部１１に薬剤包装２５が一つずつ入れられる場合や、一つの薬剤収容部１１に複数の薬剤包装２５が入れられる場合がある。
もちろん、薬剤包装２５が入らない薬剤収容部１１が存在する場合もある。
【００３９】
本実施形態では、薬剤収容部１１は、用法を曜日軸と、服用のタイミング軸に分けて構成されるマトリックス形状（行列状）に配列されたものである。
具体的には、月、火、水、木、金、土、日の７曜を縦軸とし、「朝」「昼」「夜」「寝る前」を横軸とする行列状である。
【００４０】
本実施形態では、薬剤収容部１１が配列された領域の上に、時期表示ポケット４３ａ、４３ｂ、４３ｃ、４３ｄがある。時期表示ポケット４３ａ、４３ｂ、４３ｃ、４３ｄには、「朝」「昼」「夜」「寝る前」と表示された札が入れられている。時期表示ポケット４３ａ、４３ｂ、４３ｃ、４３ｄは透明であり、外部から札に書かれた「朝」「昼」「夜」「寝る前」の文字を読み取ることができる。
月、火、水、木、金、土、日の７曜の表示についても曜日表示ポケット４５ａ、４５ｂ、４５ｃ、４５ｄ、４５ｅ、４５ｆ、４５ｇに「月」、「火」、「水」、「木」、「金」、「土」、「日」と表示された札が入れられている。
【００４１】
薬剤セット具３は、一人の服用者が専用に使用するものであり、例えば服用者Ａが一週間に服用する薬剤が、曜日と服用のタイミングごとに薬剤収容部１１に収容される。
即ち薬剤収容部１１は、服用者がＡ一人に定められ、服用のタイミングが「月朝、月昼・・・」等の表示に基づいて定められる特定の位置にあり、薬剤収容部１１は、服用者と服用のタイミングに基づいて定められる特定の位置にある。
【００４２】
次に本体装置２について説明する。
本体装置２は、図２の様に板状であり、中央にセット具装着エリア５０がある。またセット具装着エリア５０の上部に操作エリア５１がある。
セット具装着エリア５０は、全体的にやや窪んでいる。セット具装着エリア５０の辺部にはホック片（係合片）５７が設けられている。
セット具装着エリア５０には、前記した薬剤セット具３が装着される。具体的には、薬剤セット具３のホック片（係合片）２２を、セット具装着エリア５０のホック片（係合片）５７に係合させて薬剤セット具３を本体装置２に取り付ける。薬剤セット具３は本体装置２に対して着脱可能である。
【００４３】
セット具装着エリア５０には、複数のポケット対応部５３がある。
ポケット対応部５３は、薬剤セット具３の各薬剤収容部１１の位置に対応する位置にあり、各薬剤収容部１１の内袋部１７が配される面である。
ポケット対応部５３の中央には、薬剤検知部５２がある。またポケット対応部５３の上部には上側発光部５５があり、ポケット対応部５３の両側には、横側発光部５６がある。
上側発光部５５には、ＬＥＤその他の発光部材が内蔵されており、各薬剤収容部１１の内袋部１７の上部側に相当する位置にある。
横側発光部５６は、ＬＥＤその他の発光部材が内蔵されており、各薬剤収容部１１の内袋部１７の左右に相当する位置にある。ただし、本実施形態では、隣接する薬剤収容部１１の間に配される横側発光部５６が共用されている。
【００４４】
薬剤検知部５２は、図２、図３の様に内部に赤外線センサー６０が取り付けられたものである。
薬剤検知部５２は、薬剤収容部１１からの薬剤の出し入れを検知するものである。
本実施形態の服薬管理装置１では、薬剤収容部１１内に光（赤外線）を照射してその反射光の強度を監視し、反射光の強度が乱れた際に、その前後の時期における反射光の強度を比較する。そして反射光の強度が強くなったか弱くなったかによって薬剤の出し入れを検知する。本実施形態では、反射光の強度が強くなったか弱くなった場合に、薬剤が取り出されたものと判定する。
【００４５】
本実施形態では、赤外線センサー６０の一つが薬剤セット具３の着脱を検知する着脱検知センサーを兼ねている。着脱検知センサーは、赤外線センサー６０とは別のセンサーであってもよい。
【００４６】
次に操作エリア５１について説明する。
操作エリアには、スピーカ６５と、複数の操作スッチ６６、６７、６８、７０が設けられている。
本実施形態では、向かって左端にスピーカ６５がある。スピーカ６５と同列に、音量スイッチ６６、確認スイッチ６７、先取りスイッチ６８及び時刻スイッチ７０がある。
確認スイッチ６７を押すことによって音声メッセージが流れる。
本実施形態の服薬管理装置１では、患者等に知らせるべきメッセージがあるときに、図示しないライトが点灯する。ライトが点灯中に確認スイッチ６７を押すと、必要な音声メッセージがスピーカ６５から流れる。例えば「お薬を飲み忘れています」という様なメッセージが流れることとなる。
【００４７】
先取りスイッチ６８は、通常モードと先取りモードに切り替える際に使用する。
時刻スイッチ７０を操作すると、通常モードの場合には現在時刻を音声案内し、先取りモードの場合には、次に薬剤を服用すべき時刻を音声案内する。
【００４８】
また本体装置２の内部には、制御装置７１と通信手段７２が内蔵されている。
制御装置７１は、発光部５５、発光部５６や赤外線センサー６０を制御するものである。
制御装置７１は、曜日を知るカレンダー機能と、時刻を知る時計機能を備えている。
【００４９】
次に本実施形態の服薬管理装置１の機能および使用方法について説明する。
服薬管理装置１は、次の機能を備えている。
（１）音声と、発光によって服用時期の到来を知らせる時期到来報知機能
（２）薬剤収容部１１に対する薬剤の出し入れを検知する出し入れ検知機能
（３）薬剤を保持させる必要がある薬剤収容部に対応する発光部材を発光させる薬剤収容部特定機能
（４）先取りモード
（５）服用時刻を設定する時刻設定機能
（６）設置場所特定機能
【００５０】
服薬管理装置１では、薬剤セット具３の各薬剤収容部１１に薬剤が薬剤包装２５に入れて、或いは直接的に収容される。
ここで薬剤収容部１１は、前記した様に曜日と、服用時期に対応しており、各薬剤収容部１１に、患者がその服用時期が到来したら服用すべき薬剤（薬剤包装２５）が収容される。
【００５１】
本実施形態では、服薬管理装置１の本体装置２は、患者の自宅等に置かれている。
ここで本実施形態の服薬管理装置１では、薬剤セット具３が本体装置２に対して着脱可能であるから、薬剤師は、服薬管理装置１から薬剤セット具３を取り外して薬剤収容部１１に薬剤を収容することができる。
さらに薬剤師は、患者の自宅等以外の場所で、薬剤収容部１１に薬剤を収容する作業を行うこともできる。
即ち薬剤師が自己の薬局（調剤室）で薬剤収容部１１に薬剤を収容し、薬剤が収容された状態の薬剤セット具３を患者の自宅や介護施設に持ち込むことができる。そして患者の自宅等で薬剤セット具３を本体装置２に装着することができる。
【００５２】
推奨すべき使用方法は、後者の方策であり、薬剤師が自己の薬局（調剤室）で薬剤収容部１１に薬剤を収容し、薬剤が収容された状態の薬剤セット具３を患者の自宅や介護施設に持ち込み、患者の自宅等で薬剤セット具３を本体装置２に装着する方法である。
この方法によると、複数の介護施設を訪問する場合に備えて、薬剤が収容された状態の薬剤セット具３を、施設に合わせて予め複数準備しておくことができる。
当該方法について説明する。
ここで多くの場合、薬局等が患者個人や、施設に服薬管理装置１を貸し出すこととなる場合が多いが、薬剤師等が最初に患者宅等に服薬管理装置１を持ち込む場合と、次回以降に訪問する場合で、使用方法が異なる。
【００５３】
薬剤師等が最初に患者宅等に服薬管理装置１を持ち込む場合は、自己の薬局（調剤室）で本体装置２に薬剤セット具３を取り付ける。
また業者用通信端末（携帯型入力装置）６に服薬管理装置１に装着する薬剤の服用時期等を入力する。入力方法は、薬剤師が処方箋を見て手入力する。あるいは、通信手段によって、処方箋等から処方箋情報を業者用通信端末６に取り込み、自動入力してもよい。
具体的には、誰が服用する薬剤であるのか、当該薬剤の服用時期、薬剤の種類等が業者用通信端末６に入力される。例えば、月曜は、朝にＡ薬、昼は服用無し、夜にＣ薬、寝る前にＤ薬というように業者用通信端末６に入力される。他の曜日についても同様に入力していく。
【００５４】
業者用通信端末６に対する服用時期等の入力が終了し、さらに薬剤収容部１１に必要な薬剤を装着し終えると、業者用通信端末６と本体装置２の通信手段７２の間で情報通信が行われ、薬剤の服用時期等の情報が、本体装置２の制御装置７１に送信され、制御装置７１に記憶される。
【００５５】
またこれと前後して、図４の様に、薬剤収容部１１に薬剤を入れていく。即ち服用すべき薬剤を、服用時期に対応する薬剤収容部１１に保持させていく。
なお、図４の例では、薬剤の挿入に誤りがある。
即ち前記した設例によると、水曜日の昼は、服用無しであるが、水曜日の昼に対応する薬剤収容部１１に誤って薬剤が挿入されている。
【００５６】
そして薬剤収容部特定モードによる運転を行い、薬剤収容部特定機能を動作させる。具体的には、業者用通信端末６を操作して服薬管理装置１を薬剤収容部特定モードで運転する。
薬剤収容部特定モードで運転すると、薬剤を保持させる必要がある薬剤収容部１１に対応する発光部材が発光する。本実施形態では、図５の様に、薬剤収容部１１の左側の横側発光部５６が発光する。薬剤を保持させる必要が無い薬剤収容部１１については、対応する発光部材は発光しない。
薬剤を入れる必要がある薬剤収容部１１の左側の横側発光部５６だけが発光する。
【００５７】
発光状態を見た薬剤師は、薬剤を保持する作業に誤りがあるに気づくこととなる。即ち水曜日の昼は服用すべき薬剤が無いので、当該箇所の薬剤収容部１１の左側の横側発光部５６が消灯状態であるが、それにも係わらず、薬剤が入れられている。
本実施形態の服薬管理装置１は、この様に薬剤収容部特定機能を備えており、薬剤を挿入する際の支援が行われる。
【００５８】
薬剤収容部特定モードの使用方法は、上記した方法に限定されるものではなく、薬剤を保持させる必要がある薬剤収容部１１に対応する発光部材を発光させた状態にしておいて、発光している薬剤収容部１１に薬剤を入れていってもよい。
即ち薬剤収容部特定モードを起動する時期は任意であり、各薬剤収容部１１に薬剤を保持させた後に、薬剤収容部特定モードを起動して横側発光部５６を発光させてもよく、先に薬剤収容部特定モードを起動しておいて、横側発光部５６が発光している部位に薬剤を入れていってもよい。
なお薬剤収容部特定モードによって服薬管理装置１を動作させている際には、赤外線センサー６０は停止しており、薬剤検知部５２による出し入れ検知機能は停止している。
【００５９】
各薬剤収容部１１に正しく薬剤が挿入されたことが確認されると、本体装置２から薬剤セット具３を取り外す。そして本体装置２は所定の箱に入れる。薬剤セット具３は、折り畳んで専用の袋に入れる。この状態で、患者宅等に本体装置２と薬剤セット具３を運ぶ。
そして患者宅等で薬剤セット具３を本体装置２に取り付ける。
【００６０】
患者宅等で再度、薬剤収容部特定モードによる運転を行い、薬剤が保持されているはずの薬剤収容部１１に対応する発光部材だけを発光させて、薬剤装着の誤りや、抜け落ちを確認する。
また患者宅等では、業者用通信端末（携帯型入力装置）６を使用し、患者の生活習慣に合わせて、細かい時刻設定を行う。
本実施形態では、服用時期を設定する服用時期設定手段を有し、当該服用時期設定手段によって服用時期を時・分まで設定することができる。
実際には、業者用通信端末６を時刻設定モードに切り替え、必要な時刻設定を行う。例えば、午前５時に起床してすぐに朝食とる人であるならば、「朝」として５時３０分という様な設定を行うことができる。
また昼食が遅い人であるならば、「昼」として１３時という様な時間設定を行うことができる。
【００６１】
全ての設定が終わると、自動的に、あるいは所定の操作を経て、設定条件が業者用通信端末６から本体装置２の制御装置７１に送信され、制御装置７１に設定内容が記憶される。また業者用通信端末６にも設定内容が記憶される。さらにインターネット等を通じて外部のサーバーや、クラウドコンピューティングサービスに設定内容を含む情報が送信される。
このとき業者用通信端末６のＧＰＳ機能によって、現在位置が確認され、この位置情報が、業者用通信端末６に、服薬管理装置１の識別情報及び患者情報と共に記憶され、且つインターネット等を通じて外部のサーバー等に送信される。
【００６２】
薬剤師等が次回以降に患者宅を訪問する際には、薬剤を装着済みの薬剤セット具３だけを持参する。
薬剤セット具３には、予め薬局内で必要な薬剤を所定の薬剤収容部１１に入れておく。  実際には、別途の本体装置（予備の本体装置）２と薬剤セット具３を用意する。そして先の場合と同様に、自己の薬局で予備の本体装置２に薬剤セット具３を取り付け、薬剤収容部１１に薬剤を入れていく。
業者用通信端末６には、既に服用時期等が記憶されているので、処方の変更がなければ再入力を行う必要はない。
そして前記した場合と同様に、薬剤収容部特定モードによる運転を行い、予備の本体装置２の薬剤を保持させる必要がある薬剤収容部１１に対応する発光部材を発光させて薬剤が正しく挿入されていることを確認する。
【００６３】
予備の本体装置２による確認が終わると、予備の本体装置２から薬剤セット具３を外し、折り畳んで専用の袋に入れ、この状態で、患者宅等に薬剤セット具３だけを運ぶ。予備の本体装置２は、薬局等に残す。
患者宅には薬剤セット具３だけを運び、患者宅の本体装置２に既に取り付けられている薬剤セット具３と取り替える。
実際には、薬剤が装着された薬剤セット具３を最初に２セット納入し、最初の一セットが消費されると、患者等の手によって、予備のセットと付け替えられる。薬剤師等は、毎週、患者宅を訪問し、空となった薬剤セット具３を持ち帰り、新たな薬剤セット具３を患者宅に残す。
【００６４】
なお本実施形態の服薬管理装置１では、薬剤セット具３に保持された薬剤が全て消費されると、薬剤セット具３の取り替えを促す表示や音声案内が発せられる。
音声案内等に従って患者等が消費済の薬剤セット具３を本体装置２から外すと、薬剤セット具３の着脱を検知する着脱検知センサーがこれを検知する。即ち薬剤セット具３が本体装置２の正面に存在しないことが着脱検知センサーによって検知される。
そして予備の薬剤セット具３が本体装置２に装着される。着脱検知センサーは新たな薬剤セット具３が装着されたことを検知する。
【００６５】
本実施形態では、着脱検知センサーが一旦薬剤セット具３を検知しなくなり、暫くの時間が経過した後に、再度薬剤セット具３を検知したことをもって薬剤セット具３が付け替えられたと判断し、この情報が制御装置７１に記憶される。また業者用通信端末６にも設定内容が記憶される。さらに服薬管理装置１等からインターネット等を通じて外部のサーバーや、クラウドコンピューティングサービスに設定内容を含む情報が送信される。
その結果、遠隔地から薬剤セット具３の交換作業が正しく行われたことの確認を行うことができる。
【００６６】
本実施形態では、先取りスイッチ６８によって、通常モードと先取りモードに切り替えることができる。各モードにおける動作を説明する。
【００６７】
通常モード
通常モードにおいては、時期到来報知機能が駆動している。
通常モードにおいては、いずれかの薬剤を服用すべき時刻が到来すると、その事実が患者に報知される。本実施形態では、光及び音によって服用時期の到来を知らせる時期到来報知手段を有している。
例えば昼食後に服用すべき薬剤があるならば、正午にスピーカ６５から服用を促す音が発せられる。服用を促す音は、「お薬をお飲みください」という様な意味のある音声であることが望ましい。
また本実施形態では、図６の様に、服用すべき薬剤が収容された薬剤収容部１１に対応する上側発光部５５と横側発光部５６が発光し、視覚によっても服薬する時刻が到来したことを患者に知らせる。
【００６８】
患者は、スピーカ６５の音と、発光部５５、５６が発光することにより、服薬すべき時期が到来したことを知る。また発光部５５、５６の発光によって服用すべき薬剤が収容された薬剤収容部１１が指示される。
そして患者は、特定の薬剤収容部１１から薬剤を取り出す。
【００６９】
患者が所定の薬剤収容部１１から薬剤を取り出すと、対応する薬剤検知部５２がそれを検知する。即ち本実施形態では、前記した様に薬剤検知部５２による出し入れ検知機能を備えている。
患者が所定の薬剤収容部１１から薬剤を取り出すと、スピーカ６５からの音声と、発光部５５、５６の発光が停止する。
【００７０】
本実施形態では、特定の薬剤収容部１１から薬剤が排出されたことが服薬管理装置１の制御装置７１に記録され、当該記録が一定の期間、保存される。なお、薬剤収容部１１から薬剤が排出された事実をもって、患者が薬剤を服用したとみなし、その事実も記録される。
前記した記録は、服薬管理装置１の通信手段７２によって患者用通信端末５及び業者用通信端末６に送信され、同じ情報が業者用通信端末６等にも保存される。
さらに服薬管理装置１の通信手段７２がインターネット等と接続され、服薬管理装置１からインターネット等を通じて、患者が薬剤を服用したとみなされる時刻と薬剤の情報が医師や家族等の外部の者に送信される。
また服薬管理装置１からインターネット等を通じて外部のクラウドコンピューティングサービスに情報を送信してもよい。
本実施形態では、服薬管理装置１から直接インターネットに接続されて情報通信されるが、業者用通信端末６を経由してインターネットに接続してもよい。
【００７１】
先取りモード
通常モードによる運転中に、先取りスイッチ６８を操作すると、動作モードが先取りモードに切り替わる。
先取りモードにおいては、まだ、服用時刻が到来していないが、次に服用すべき薬剤収容部１１に対応する上側発光部５５と横側発光部５６が発光する。
例えば、正午に昼用の薬剤を服用する予定であり、午後６時に夜用の薬剤を服用する予定であると仮定する。
昼用の薬剤は、既に服用されていると仮定する。例えば、夕食は友人とレストランでとる予定である場合であって、現在時刻は、夜用の薬剤を服用する時刻には至っていない場合を想定する。
【００７２】
この様な状況下において、先取りスイッチ６８を操作して先取りモードに切り替えると、図７の様に、次に服用すべき夜用の薬剤が保持された薬剤収容部１１に対応する上側発光部５５と横側発光部５６が発光する。
そしてスピーカ６５から、「薬剤をお取りください」という様な薬剤取り出しを促す音声が流れる。この状況下において、時刻スイッチ７０を操作すると、次に薬剤を服用すべき時刻がスピーカ６５から流れる。具体的には、「服用時刻は、午後６時です。」という様な音声が流れる。
【００７３】
患者が、夜用の薬剤を薬剤収容部１１から取り出すと、図８の様に、薬剤収容部１１に対応する上側発光部５５と横側発光部５６が消灯し、続いてその次に服用する「寝る前」の薬剤収容部１１に対応する上側発光部５５と横側発光部５６が発光する。
そして先と同様に、スピーカ６５から、「薬剤をお取りください」という様な薬剤取り出しを促す音声が流れる。この状況下において、時刻スイッチ７０を操作すると、次に薬剤を服用すべき時刻がスピーカ６５から流れる。具体的には、「服用時刻は、午後１０時です。」という様な音声が流れる。
寝る前用の薬剤を取り出すと、さらに次に服用する薬剤収容部１１に対応する上側発光部５５と横側発光部５６が発光し、この状態は先取りスイッチ６８を再度操作して通常モードに戻すまで続く。
【００７４】
先取りモードにして、既に薬剤が取り出された薬剤収容部１１については、服用時期が到来しても、上側発光部５５、横側発光部５６は発光せず、音声による報知も行われない。
【００７５】
本実施形態では、時刻スイッチ７０を操作することによって次に薬剤を服用すべき時刻が報知されるが、時刻スイッチ７０を操作しなくても時刻の報知が行われる様にしてもよい。
【００７６】
以上は、服薬管理装置１の通常の使用方法であるが、応用的な使用も可能である。
以上説明した実施形態では、薬剤セット具３の薬剤収容部１１は、「朝用」「昼用」「夜用」「寝る前」用の一日４回服用する構成となっているが、服用回数が少ない場合には、例えば「朝用」と「夜用」だけにしてもよい。この場合は、薬剤セット具８０は、「朝用」と「夜用」だけがあり、二週間仕様のものを採用する。
また業者用通信端末６の表示画面は、これに合わせて二週間が一画面に表示されることが望ましい。
【００７７】
また以上説明した実施形態では、薬剤セット具３の薬剤収容部１１は、「朝用」「昼用」「夜用」「寝る前」用の一日４回服用する構成となっているが、いずれかの服用時期を図１０の様に頓服（とんぷく）用に変更してもよい。
ここで頓服薬は、痛み止め、熱さまし、咳止めという様に、激しい症状を抑えるために随時服用されるものであり、服用時期の定めはない。その一方で、副作用を抑制する目的等から、最短服用間隔が定められているものが多い。
本実施形態では、頓服薬を抜き出した際に、その時刻が記憶されている。そして再度次の頓服薬を抜き出すと、先の時刻からの経過時間が演算される。そしてその時間間隔が、最短服用間隔よりも短い場合には、スピーカ６５から注意を促す音声が流れる。
【００７８】
本実施形態では、業者用通信端末６その他の携帯端末や、パーソナルコンピュータを、服薬管理装置１の近くで無線又は有線接続することにより、患者の服薬状態や装置の設定を確認することができる。
また服薬管理装置１から離れた位置から、業者用通信端末６その他の携帯端末や、パーソナルコンピュータをクラウドコンピューティングサービスに接続することにより、患者の服薬状態や装置の設定を確認することができる。
図１１（ａ）は、業者用通信端末６の表示画面の一例であり、升目は、服薬管理装置１の薬剤収容部１１に対応している。
丸表示は、正規の時刻に薬剤が抜き出された薬剤収容部１１である。「忘」は、正規の時刻に薬剤が抜き出されなかった薬剤収容部１１である。「先」は、先取りモードによって薬剤収容部１１から抜き出されなかった薬剤収容部１１である。「薬」は、まだ服用すべき時刻が到来しておらず薬剤が残っている薬剤収容部１１である。
【００７９】
本実施形態では、枡目の「丸」「忘」「先」「薬」によって、薬剤の服用状況を把握することができる。また枡目の上に薬剤を取り出すべき日が表示される。
なお頓服が配置された薬剤収容部１１に対応する枡目については、頓服が取り出された時刻が表示される。
業者用通信端末６は、タッチパネルを有し、タッチパネルの所定の位置に触れることにって入力やチェックを行うものである。
履歴欄に触れると、図１１（ｂ）の様な履歴画面に切り替わり、イベント日時、イベント状況及び詳細情報が表示される。
【００８０】
次に、業者用通信端末６による動作条件方法についてその概要を説明する。
業者用通信端末６を操作することによって、図１２（ａ）の様な基本設定画面を呼び出すことができる。
基本設定画面では、患者の氏名等の属性（湯山太郎）を表示する属性表示部１００と、服薬管理装置１の薬剤収容部１１を模したレイアウト表示部１０１と、操作部１０２が表示される。
【００８１】
所定の操作を行うことにより、図１２（ｂ）の様に属性設定画面に切り替えることができる。そして図１２（ｂ）で、患者の属性を入力する。基本設定画面の属性表示部１００には、患者名だけが表示される。
【００８２】
図１２（ａ）に示す基本設定画面では、レイアウト表示部１０１として、月、火、水、木、金、土、日の７曜を縦軸とし、「朝」「昼」「夜」「寝る前」を横軸とする行列状の表示がなされている。
図１２（ａ）に示す基本設定画面において、「○」の表示箇所は服用すべき薬剤が配置されるべき薬剤収容部１１を示している。逆に「○」の表示が無い箇所は、服用すべき薬剤が無い事を示している。
本実施形態では、画面選択（タッチ）によって「○」の有無を切替が可能となっており、処方箋情報に基づいて服用必要性の有無が設定される。
レイアウト表示部１０１の各升目における「○」の有無は、処方箋情報に基づいて設定される。本実施形態では、業者用通信端末６の表示画面はタッチパネルであり、升目の部分に触れることによって「○」の有無が切り替わる。即ち「○」の表示がある状態のときに升目に触れると、「○」の表示が消える。逆に「○」の表示が無い状態のときに升目に触れると、「○」の表示が現れる。
【００８３】
また本実施形態の業者用通信端末６を使用して、服用する曜日と、服用時期を任意に設定することができる。
服用する曜日は、曜日表示欄のいずれかの升目に触れることにより、図１２（ｄ）の様な曜日設定画面が現れる。そして曜日設定画面に表示された曜日に触れると、当該升目の表示が触れた曜日に設定される。
【００８４】
服用時期についても同様であり、服用時期の升目に触れることにより、図１２（ｃ）の様な服用時期設定画面が現れる。所定の入力手段によって、朝、昼等の別と、具体的に服用時刻等を設定することができる。
【００８５】
また用法が変更される予定である場合には、予め、変更後の用法に沿った設定を記憶させることができ、画面に表示することもできる。
図１２（ｅ）は変更予告画面の一例を示すものである。図１２（ａ）に示される現在の用法では、火曜、木曜、土曜の昼には薬を飲まないが、変更後の用法では、これらの時期にも薬剤を服用する。
【００８６】
図１に示す薬剤セット具３のレイアウトは、一人の患者用であり、且つ一週間用であるが、例えば服用日が隔日であったり、服用時期が、朝と夕（表示を「夜」から「夕」に変更）に変える場合には、薬剤セット具３を複数週用として使用することもできる。
その場合には、時期表示ポケット４３ａ、４３ｂ、４３ｃ、４３ｄに入れる札を例えば「朝」「夕」「朝」「夕」とする。あるいは、曜日表示ポケット４５ａ、４５ｂ、４５ｃ、４５ｄ、４５ｅ、４５ｆ、４５ｇに入れる札を「月」、「水」、「金」、「月」、「水」、「金」、札無しとする。
【００８７】
レイアウトの変更は、前記した図１２（ｄ）の曜日設定画面で、上記の曜日表示ポケットに入れた札に対応させて服用する曜日を入力し、さらに、上記の時期表示ポケットに入れた札に対応させて図１２（ｃ）の服用時期設定画面で服用する時期だけを入力する。
ここで「夜」の札が「夕」に変更されているのに対応して、名称欄を「夜」から「夕」に変更し、服用時刻についても必要に応じて変更する。（例えば、夜に対応する服用時刻２０：００から、「夕」に対応する１８：３０に変更する。）
その結果、服用時期設定画面のレイアウトが自動変更される。
ここで日をまたいで服用時期を設定する場合は、当日最後の服用時期に対応する分割フィールドにチェックを入れる。（図１３（ｂ）の場合、左から２番目の「夕  １８：３０」が当日最後の服用時期となる。）
さらに週をまたいで曜日を設定する場合は、今週最後の曜日に対応する分割フィールドにチェックを入れる。（図１３（ｂ）の場合、上から３番目の「金」が今週最後の曜日となる。）
またレイアウトが日や週をまたいで変更されると、見づらい場合（上記の隔日や、交互、漸減、漸増の場合）があるので、図１３（ｂ）の様に、週を区分するラインを表示することができる。
ライン表示は、「分割」又は「翌週」欄をチェックすることによって行うことができる。
「分割」欄は、服用時期を表す升目の下にある欄であり、図１３（ａ）の様にこの欄にチェックを入れると、図１３（ｂ）の様チェックを入れた服用時期を境に縦線１０５が表示され、服用すべき週が違うことが視覚上明らかになる。
「翌週」欄は、曜日を表す升目の右側にある欄であり、図１３（ａ）の様にこの欄にチェックを入れると、図１３（ｂ）の様チェックを入れた曜日を境に横線１０６が表示され、服用すべき週が違うことが視覚上明らかになる。
【００８８】
以上説明した薬剤セット具３は、個人用の薬剤セット具であるが、複数の服用者を対象とする一日用薬剤セット具や、複数の服用者を対象とする服用時点別の薬剤セット具に本発明を適用してもよい。
一日用薬剤セット具とは、例えば日めくりカレンダーのごとく、服用すべき曜日が記載され、複数の服用者名と服用のタイミング軸によって構成される行列状に薬剤収容部１１が配置されたものである。
服用時点別の薬剤セット具とは、複数の服用者が共同で使用するものであり、介護施設や病院で使用されるものである。服用時点別の薬剤セット具では、複数の服用者それぞれが、一日の特定時期（例えば朝）に服用する薬剤が、服用者名別に収容される。
【００８９】
薬剤セット具３を本体装置２に対する取り付け方法は、ホック等の係合手段の他、面ファスナー等の公知の接合手段を採用することができる。この場合も薬剤セット具３が本体装置２から着脱可能であるから、薬剤師は、服薬管理装置１から薬剤セット具３を取り外して薬剤収容部１１に薬剤を収容することができる。
【００９０】
以上説明した実施形態では、本体装置２の制御装置７１自体に、服薬管理装置１を制御するコンピュータプログラムが格納されている。しかしながら、必ずしも制御装置７１に上側発光部５５等の発光部材や音声装置等を制御するコンピュータプログラムが格納されている必要はない。
例えばインターネット等の通信手段を利用して、外部のコンピュータから制御装置７１を遠隔操作してもよい。この場合には、外部のコンピュータに発光部材や音声装置等を動作させるコンピュータプログラムが格納されている。
【００９１】
もちろんインターネット等の通信手段を利用して、外部からコンピュータプログラムを制御装置７１内に取り込んで使用してもよい。
コンピュータプログラムを記憶した記憶媒体の例としては、ハードディスクの他、ＣＤ−ＲＯＭ、ＤＶＤ等がある。
【００９２】
以上説明した実施形態は、複数の薬剤収容部が平面的に分布されていて、前記薬剤収容部に対応する服用者及び服用タイミングの薬剤を当該薬剤収容部に保持し、各薬剤収容部に対応する位置に発光部材があり、特定の発光部材が発光して服用すべき薬剤が保持された薬剤収容部を示す服用薬剤特定機能を備えた服薬管理装置において、薬剤を保持させる必要がある薬剤収容部に対応する発光部材を発光させる薬剤収容部特定機能を備えたことを特徴とする服薬管理装置である。
【００９３】
以上説明した実施形態は、複数の薬剤収容部が平面的に分布され、当該薬剤収容部の服用時期を示す、朝、昼、夜に相当する文字表示があり、前記薬剤収容部に対応する服用タイミングの薬剤を当該薬剤収容部に保持する服薬管理装置において、光及び／又は音によって服用時期の到来を知らせる時期到来報知手段と、服用時期を設定する服用時期設定手段を有し、当該服用時期設定手段によって服用時期を少なくとも、時・分まで設定することが可能であることを特徴とする服薬管理装置である。
【００９４】
以上説明した実施形態は、服薬管理装置と、携帯型入力装置によって構成される服薬管理システムにおいて、前記服薬管理装置は、複数の薬剤収容部が平面的に分布されていて、前記薬剤収容部に対応する服用者及び服用タイミングの薬剤を当該薬剤収容部に保持し、光及び／又は音によって服用時期の到来を知らせる時期到来報知手段を備えるものであり、携帯型入力装置は、有線又は無線通信によって前記服薬管理装置の動作条件を設定するものであり、服薬管理装置と携帯型入力装置の少なくとも一方が位置検知手段と、通信手段を備え、服薬管理装置及び／又は携帯型入力装置の現在位置を無線通信によって他の装置に送信することが可能であることを特徴とする服薬管理システムである。
【００９５】
以上説明した実施形態は、複数の薬剤収容部が平面的に分布され、当該薬剤収容部の服用時期を示す、朝、昼、夜に相当する文字表示があり、前記薬剤収容部に対応する服用タイミングの薬剤を当該薬剤収容部に保持し、光及び／又は音による報知手段を備えた服薬管理装置の制御装置を制御するコンピュータプログラムにおいて、前記報知手段によって服用時期の到来を知らせる時期到来報知動作と、服用時期を設定する服用時期設定を行い、当該服用時期設定によって服用時期を少なくとも、時・分まで設定することが可能であることを特徴とするコンピュータプログラムである。
【００９６】
以上説明した実施形態は、複数の薬剤収容部が平面的に分布されていて、前記薬剤収容部に対応する服用者及び服用タイミングの薬剤を当該薬剤収容部に保持し、各薬剤収容部に対応する位置に発光部材がある服薬管理装置の制御装置を制御するコンピュータプログラムにおいて、特定の発光部材が発光して服用すべき薬剤が保持された薬剤収容部を示す服用薬剤特定動作と、薬剤を保持させる必要がある薬剤収容部に対応する発光部材を発光させる薬剤収容部特定動作を行わせることが可能であることを特徴とするコンピュータプログラムである。
【符号の説明】
【００９７】
１  服薬管理装置
２  本体装置
３  薬剤セット具
５  患者用通信端末
６  業者用通信端末
１１  薬剤収容部
５５  上側発光部
５６  横側発光部
６５  スピーカ
１００  服薬管理システム
【図１】
2019187603.tif 000003
【図２】
2019187603.tif 000004
【図３】
2019187603.tif 000005
【図４】
2019187603.tif 000006
【図５】
2019187603.tif 000007
【図６】
2019187603.tif 000008
【図７】
2019187603.tif 000009
【図８】
2019187603.tif 000010
【図９】
2019187603.tif 000011
【図１０】
2019187603.tif 000012
【図１１】
2019187603.tif 000013
【図１２】
2019187603.tif 000014
【図１３】
2019187603.tif 000015